(57)【要約】【課題】空気調和機において、簡単且つ安価な構成で、スペース性に優れ、集塵容器内に収納した塵埃に含まれるカビの繁殖を長期間にわたって安定して抑制すること。【解決手段】空気調和機は、室内空気の通風路を形成する筐体４と、通風路に設置され室内空気を通風路を通して通風する室内ファン１０と、通風路に設置され通過する室内空気中の塵埃を捕集するエアフィルタ１１と、エアフィルタ１１から塵埃を集めて通風路の外側に着脱可能に配置された集塵容器２６に収納する清掃装置と、を備える。集塵容器２６は有機無機複合系防カビ剤を混入した樹脂で成形されている。【選択図】図２
2010101513.tif 000002
【特許請求の範囲】
【請求項１】
室内空気の通風路を形成する筐体と、
前記通風路に設置され室内空気を前記通風路を通して通風する室内ファンと、
前記通風路に設置され通過する室内空気中の塵埃を捕集するエアフィルタと、
前記エアフィルタから塵埃を集めて前記通風路の外側に着脱可能に配置された集塵容器に収納する清掃装置と、を備えた空気調和機において、
有機無機複合系防カビ剤を混入した樹脂で前記集塵容器を成形した
ことを特徴とする空気調和機。
【請求項２】
請求項１において、有機系防カビ剤であるイソチアゾリンと無機系防カビ剤である層状ケイ酸塩とを成分とした有機無機複合系防カビ剤をＡＢＳ樹脂に練り込んで前記集塵容器を成形したことを特徴とする空気調和機。
【請求項３】
請求項２において、有機無機複合系防カビ剤を前記ＡＢＳ樹脂に２ｗｔ％以上練り込むと共に、前記集塵容器の対向する壁面間の距離を４０ｍｍ以下としたことを特徴とする空気調和機。
【請求項４】
請求項２において、有機無機複合系防カビ剤を前記ＡＢＳ樹脂に２ｗｔ％以上練り込むと共に、有機無機複合系防カビ剤を２ｗｔ％以上練り込んだＡＢＳ樹脂からなる仕切りを前記集塵容器の壁面間の中間に設け、前記集塵容器の壁面と前記仕切りの壁面との距離を４０ｍｍ以下としたことを特徴とする空気調和機。
【請求項５】
請求項１において、清掃装置は前記エアフィルタから除去された塵埃を前記集塵容器に導く塵埃シュータを備え、前記塵埃シュータは有機無機複合系防カビ剤を混入した樹脂で形成されていることを特徴とする空気調和機。
【請求項６】
請求項５において、有機系防カビ剤であるイソチアゾリンと無機系防カビ剤である層状ケイ酸塩とを成分とした有機無機複合系防カビ剤をＡＢＳ樹脂に練り込んで前記塵埃シュータを成形したことを特徴とする空気調和機。
【発明の詳細な説明】
【技術分野】
【０００１】
本発明は、空気調和機に係り、特に室内空気中の塵埃を捕集するエアフィルタに付着した塵埃を集めて集塵容器に収納する清掃装置を備えた空気調和機に好適なものである。
【背景技術】
【０００２】
近年、空気調和機の省電力化、メンテナンスの省力化を目的として、エアフィルタに捕集された塵埃を集めて集塵容器に収納する清掃装置を備えた空気調和機が開発されている。この空気調和機のフィルタ清掃方式は２種類に大別される。一つはエアフィルタ上の塵埃を吸引して集塵容器へ溜めておく方式であり、もう一つはエアフィルタ上の塵埃をブラシで掻き取って集塵容器へ溜めておく方式である。どちらの方式においても集塵容器に塵埃を溜めておくと、塵埃に含まれるカビや雑菌が繁殖し、溜まった塵埃を廃棄する際、使用者に不快な印象を与えるおそれがあるため、カビ、雑菌の繁殖を抑制する機能を備えた空気調和機が考えられている。
【０００３】
エアフィルタの塵埃を集めて集塵容器に雑菌の繁殖を防止する機能を施した空気調和機として、例えば特開２００５−２８３１２１号公報（特許文献１）及び特開２００８−１１６１２１号公報（特許文献２）に示されたものがある。
【０００４】
前記特許文献１の空気調和機は、空気吸入口及び空気吹出口を有して室内空気の通風路を形成する本体キャビネットと、通風路に設置され室内空気を空気吸入口より吸入し空気吹出口より吹出すクロスフローファンと、通風路に設置され通過する室内空気中の塵埃を捕集するエアフィルタと、エアフィルタから塵埃を集めて、通風路に配置された樹脂製の上カバー及び下カバーに収納する清掃装置（フィルタ清掃部）と、を備えて構成されている。そして、上カバー及び下カバーに防カビ材や抗菌材を添加することにより、上カバー及び下カバー上カバー及び下カバーに収納された塵埃にカビや雑菌などが生えるのを防止できるとしている。
【０００５】
前記特許文献２の空気調和機は、吸込口及び吹出口を有して室内空気の通風路を形成する筐体と、通風路に設置され室内空気を吸込口より吸込み吹出口より吹出す室内ファン（通風ファン）と、通風路に設置され通過する室内空気中の塵埃を捕集するエアフィルタ（プレフィルタ）と、エアフィルタから塵埃を集めて、通風路の外側に配置された集塵容器に収納する清掃装置と、を備えて構成されている。そして、集塵容器の閉鎖空間に雑菌除去剤カセットが設置されている。この雑菌除去剤カセットは、樹脂容器一面にアルミフィルムが貼られ、樹脂容器とアルミフィルムとに挟まれるように紙が設けられ、樹脂容器の内部に雑菌除去剤が設置されている。これにより、雑菌除去剤は紙を介して揮発するようになるとしている。
【０００６】
【特許文献１】特開２００５−２８３１２１号公報
【特許文献２】特開２００８−１１６１２１号公報
【発明の開示】
【発明が解決しようとする課題】
【０００７】
特許文献１では、上カバー及び下カバーに防カビ材を添加することが開示されているものの、例えば、上カバー及び下カバーに一般的な不揮発性の防カビ材を添加した場合には、上カバー及び下カバーに接触する塵埃にのみカビ繁殖抑制効果が発揮されるに過ぎず、上カバー及び下カバー内に堆積される塵埃全体のカビ繁殖抑制効果を期待できないという課題があった。また、上カバー及び下カバーに一般的な揮発性の防カビ材を添加した場合には、上カバー及び下カバーがクロスフローファンの通風路中に配置されていることもあり、揮発された防カビ材がクロスフローファンによる空気流れ中に発散され、上カバー及び下カバーに堆積された塵埃全体へのカビ繁殖抑制効果が低減してしまうという課題があった。
【０００８】
また、特許文献２では、紙を介して雑菌除去剤を揮発するようにしているため、その揮発量の調整が難しく、長期間にわたってカビ繁殖抑制効果を安定して得ることが難しいという課題があった。また、複雑な構成の雑菌除去剤カセットを用い、集塵容器の閉鎖空間に設置する作業を必要とするので、高価になってしまうと共に、筐体内の限られたスペースに雑菌除去剤カセットの設置スペースを確保しなければならない、という課題があった。
【０００９】
本発明の目的は、簡単且つ安価な構成で、スペース性に優れ、集塵容器内に収納した塵埃に含まれるカビの繁殖を長期間にわたって安定して抑制できる空気調和機を提供することにある。
【課題を解決するための手段】
【００１０】
前述の目的を達成するために、本発明では、室内空気の通風路を形成する筐体と、前記通風路に設置され室内空気を前記通風路を通して通風する室内ファンと、前記通風路に設置され通過する室内空気中の塵埃を捕集するエアフィルタと、前記エアフィルタから塵埃を集めて前記通風路の外側に着脱可能に配置された集塵容器に収納する清掃装置と、を備えた空気調和機において、有機無機複合系防カビ剤を混入した樹脂で前記集塵容器を成形したことにある。
【００１１】
係る本発明のより好ましい具体的な構成例は次の通りである。
（１）有機系防カビ剤であるイソチアゾリンと無機系防カビ剤である層状ケイ酸塩とを成分とした有機無機複合系防カビ剤をＡＢＳ樹脂に練り込んで前記集塵容器を成形したこと。
（２）有機無機複合系防カビ剤を前記ＡＢＳ樹脂に２ｗｔ％以上練り込むと共に、前記集塵容器の対向する壁面間の距離を４０ｍｍ以下としたこと。
（３）有機無機複合系防カビ剤を前記ＡＢＳ樹脂に２ｗｔ％以上練り込むと共に、有機無機複合系防カビ剤を２ｗｔ％以上練り込んだＡＢＳ樹脂からなる仕切りを前記集塵容器の壁面間の中間に設け、前記集塵容器の壁面と前記仕切りの壁面との距離を４０ｍｍ以下としたこと。
（４）清掃装置は前記エアフィルタから除去された塵埃を前記集塵容器に導く塵埃シュータを備え、前記塵埃シュータは有機無機複合系防カビ剤を混入した樹脂で形成されていること。
（５）有機系防カビ剤であるイソチアゾリンと無機系防カビ剤である層状ケイ酸塩とを成分とした有機無機複合系防カビ剤をＡＢＳ樹脂に練り込んで前記塵埃シュータを成形した。
【発明の効果】
【００１２】
係る本発明の空気調和機によれば、簡単且つ安価な構成で、スペース性に優れ、集塵容器内に収納した塵埃に含まれるカビの繁殖を長期間にわたって安定して抑制できる。
【発明を実施するための最良の形態】
【００１３】
以下、本発明の複数の実施形態について図を用いて説明する。各実施形態の図における同一符号は同一物または相当物を示す。
【００１４】
（第１実施形態）
まず、本実施形態の空気調和機１の全体構成及び清掃装置２０の具体的構成について、図１から図５を参照しながら説明する。図１は本実施形態の空気調和機１の全体構成を示す斜視図、図２は図１の室内機２を正面から縦に断面した図、図３は図２の室内機２の斜視図、図４は図３の清掃装置２０の塵埃捕集部の拡大図、図５は図４の塵埃捕集部の塵埃シュータ２５の斜視図である。なお、図３では、室内機２の内部の一部が見えるように図示されている。
【００１５】
空気調和機１は、室内機２、リモコン５、室外機３及び接続配管９等を備えて構成されており、室内を空気調和するものである。室内機２は室内の壁面等に設置され、室外機３は室外に設置され、接続配管９は室内機２と室外機３と接続している。ここで、接続配管９は、冷媒配管、ドレン配管、電気配線、信号配線等から構成されている。リモコン５は、室内機２と別体に構成されており、運転条件等を設定して空気調和機１の運転の指令等を行うものである。このリモコン５の操作によって、空気調和機の冷房運転、除湿運転、暖房運転、空気清浄運転等が行われる。
【００１６】
室内機２は、筐体４、室内ファン１０、ファンモータ、エアフィルタ１１、室内熱交換器１２、露受皿１３、上下風向板１４、左右風向板１５、清掃装置２０、制御装置等を備えて構成されている。室外機３は、筐体３ａと、この筐体３ａ内に設置された室外ファン、室外熱交換器及び圧縮機等と、を備えて構成されている。ここで、室内熱交換器１２、室外熱交換器、圧縮機は冷凍サイクルを構成する。
【００１７】
筐体４は、筐体ベース４ａ、化粧枠４ｂ及び前面パネル４ｃ等を備えて構成されている。筐体４には、空気吸込み口８及び空気吹出し口７が上下に設けられている。前面パネル４ｃは、前面開口部を有しており、この開口部を開閉する開閉パネル６を備える。空気吸込み口８及び空気吹出し口７は通風路を構成する中央空間４Ａの通風口として設けられている。開閉パネル６は下端部を支点として回動可能に設けられている。空気調和機の運転時に駆動モータで開閉パネル６を回動することにより前面パネル４ｃの前面開口部が開放される。この前面開口部が運転時の空気吸込み口８の一部を形成する。開閉パネル６の下方には、運転状況を表示する表示部５１と、リモコン５からの赤外線の操作信号を受けて制御装置に伝達する受光部５２が配置されている。
【００１８】
室内機２の筐体４には、室内ファン１０、ファンモータ、エアフィルタ１１、室内熱交換器１２、露受皿１３、上下風向板１４及び左右風向板１５等の基本的な内部構造体が取付けられている。
【００１９】
また、筐体４の内部は仕切り板により左右に３つの空間に仕切られている。中央の空間には室内ファン１０、室内熱交換器１２、エアフィルタ１１等が配置されている。
【００２０】
室内ファン１０は、室内熱交換器１２の横幅にほぼ等しい横長の貫流ファンで構成されており、室内空気を空気吸込み口８から吸い込んで空気吹出し口７から吹出すように中央空間４Ａの中央部に配置されている。室内ファン１０を作動することにより、室内空気は、図２の白抜き矢印５３のように中央空間４Ａで構成された通風路を通って流れる。室内機２に吸い込まれる空気中の塵埃はエアフィルタ１１に捕集される。
【００２１】
エアフィルタ１１は、吸い込まれた室内空気の中に含まれる塵埃を捕集するためのものであり、室内熱交換器１２の吸込側を覆うように設けられている。エアフィルタ１１は、室内熱交換器１２の上方に配置されたエアフィルタ１１ａと、室内熱交換器１２の前方に配置されたエアフィルタ１１ｂとで構成されている。エアフィルタ１１ａは筐体４の上面に対応するように略水平に配置され、エアフィルタ１１ｂは筐体４の前面に対応するように略垂直に配置されている。
【００２２】
室内熱交換器１２は室内ファン１０の吸込側に配置され、略逆Ｖ字状に形成されている。室内熱交換器１２は、室外機３から供給された冷媒が通過することで、その温度が低温または高温に変えられる。空気調和機１は、室内ファンにより室内空気を室内熱交換器１２に循環させて、加熱、冷却または除湿した調和空気にし、これを室内に吹出すことにより室内環境を快適なものとする。例えば、空気調和機１を冷房運転すると、室内熱交換器１２が冷却され、この冷えた室内熱交換器１２で白抜き矢印５３のように流れる室内空気が冷やされ、室内を空気調和することができる。この時に、室内熱交換器１２が室内空気の露点温度以下になると、空気中の水分が結露することで室内熱交換器１２に水が付着する。結露した水分が増えると、露受皿１３へと垂れる。露受皿１３に溜まった水分は露受皿１３に取付けられたドレンホースに流れ、接続配管９を通して室外へと排出される。
【００２３】
清掃装置２０は、エアフィルタ１１ａ、１１ｂに捕集された塵埃をエアフィルタ１１ａ、１１ｂから除去し、エアフィルタ１１ａ、１１ｂを清掃する。この清掃装置２０は、可動式ブラシ２２、ブラシ駆動機構、塵埃捕集部２３を備えて構成されている。塵埃捕集部２３は、塵埃捕集機構２４、塵埃シュータ２５、集塵容器２６を備えて構成されている。
【００２４】
運転停止時には、可動式ブラシ２２は、図３に示すようにエアフィルタ１１ａ、１１ｂより右側に待機している。清掃動作時には、可動式ブラシ２２は、ブラシ駆動機構により駆動されてエアフィルタ１１ａ、１１ｂの吸込み面に沿って左側に移動され、エアフィルタ１１ａ、１１ｂよりも左側に到達した後に、右側に移動されて待機状態に戻る。この可動式ブラシ２２は、全体形状が略Ｌ字形をしており、左側に移動される際にエアフィルタ１１ａ、１１ｂに接触し、エアフィルタ１１ａ、１１ｂに捕集された塵埃をかき取って集めるための刷毛２２ａ、２２ｂを有している。
【００２５】
刷毛２２は、エアフィルタ１１ａに対応する刷毛２２ａと、エアフィルタ１１ｂに対応する刷毛２２ｂとから構成されている。刷毛２２ａは可動式ブラシ２２の上辺の裏側に設けられ、刷毛２２ｂは可動式ブラシ２２の前辺の裏側に設けられている。刷毛２２ａ、２３ｂの先端部は、可動式ブラシ２２が左に移動される際に、エアフィルタ１１ａ、１１ｂ上に押さえつけられて反移動方向側に変形され、エアフィルタ１１ａ、１１ｂに擦りつけられて塵埃を集めていく。
【００２６】
塵埃捕集機構２４は、可動式ブラシ２２で集めた塵埃を刷毛２２から取り去って、塵埃シュータ２５を介して集塵容器２６に送るためのものであり、２つの塵埃捕集機構２４ａ、２４ｂで構成されている。塵埃捕集機構２４ａはエアフィルタ１１ａ及び刷毛２２ａに対応し、塵埃捕集機構２４ｂはエアフィルタ１１ｂ及び刷毛２２ｂに対応して設けられている。
【００２７】
塵埃捕集機構２４ａ、２４ｂは、例えばエチケットブラシのような起毛状になっている部分を有する。刷毛２２ａ、２２ｂが塵埃捕集機構２４ａ、２４ｂの起毛状になっている部分の上を通過する際に、刷毛２２ａ、２２ｂにより集められた塵埃がこの起毛状部分に引っかかり、起毛状部分に残り、刷毛２２ａ、２２ｂの先端はきれいになる。
【００２８】
塵埃捕集機構２４ａ、２４ｂは２個のローラーに設けられた起毛状部分が擦りあうような配置になっている。塵埃捕集機構２４ａ、２４ｂの２個の起毛状部分を擦り合わせるように塵埃捕集機構２４ａ、２４ｂを回転させることにより、起毛状部分に引っかかった塵埃が集められ、この集められた塵埃は何回か擦り合わせるうちに起毛表面から離れ、塵埃シュータ２５内に落下され、さらにはこの塵埃シュータを通して塵埃容器内に落下される。これらの動作を繰り返すことで集塵容器２６に塵埃が蓄積される。
【００２９】
一定期間経過した後、室内機２から集塵容器２６を引き出し、溜まった塵埃をゴミ箱などへ捨てることになる。このとき、蓄積された塵埃の中には肉眼では見えないが多数の雑菌やカビが含まれている。カビは成長するためには水分が必要であり、逆に水分がなければ成長することはできない。また、液体状態の水がなくてもカビは成長する。これはカビが空気中の水分を利用できるからであり、カビの発生は、周囲の湿度に大きく左右される。カビには、好湿性カビ、中湿性カビ、乾湿性カビがあり、好湿性カビにはユーロチウム菌等があり相対湿度９０％ＲＨ以上、中湿性カビにはアルタナリア菌等があり相対湿度８０％ＲＨ以上、乾湿性カビにはアスペルギルス等があり相対湿度７０％以上で成長する。これらのカビは、いずれも住宅内で一般的に見られるカビである。
【００３０】
このため、梅雨時の除湿運転や夏場の高湿環境での冷房運転により、室内熱交換器１２へ空気中の水分が凝集し、室内機２の内部が高湿になると、塵埃に含まれる多数の雑菌やカビが成長する。このため、何らかの抗菌、防カビ対策を行わなければ雑菌の繁殖やカビの発生により、溜まった塵埃を捨てる際、カビの飛散や使用者に不快感を与えることになる。
【００３１】
前記動作説明の通り、可動ブラシ２２で集めた塵埃は、塵埃捕集機構２４ａ、２４ｂにより塵埃シュータ２５内に落とされる。落とされた塵埃は、そのまま落下して集塵容器２６に入るものもあれば、塵埃シュータ２５の壁面などに止まる場合もある。そして、止まった塵埃に更に塵埃が付着することにより、重量が重くなって落下して集塵容器２６に落下して積み重なることになる。
【００３２】
通常、このような集塵容器２６に塵埃を溜める場合、塵埃からのカビ発生防止策として容器に銀系やイソチアゾリン系などの抗菌、防カビ剤を添加した成形部品を使用する。しかし、これらの抗菌、防カビ剤は有効成分が揮発、溶出しないため、積み重なった塵埃の内部に潜むカビや雑菌の成長を抑制することは効果が小さい。
【００３３】
そこで、本実施形態では、塵埃が付着または収納される塵埃シュータ２５及び集塵容器２６に、揮発性及び効果持続性のある有機無機複合系防カビ剤を混入してある。即ち、有機系の防カビ剤を使用することで防カビ成分が揮発され、この揮発された防カビ成分が塵埃内部にまで浸透し、塵埃からのカビ発生を抑制することができると共に、無機系の防カビ剤を複合することで有機系の防カビ剤の揮発量を調整することができ、長期間にわたって有機系の防カビ剤の揮発を継続させることができる。
【００３４】
具体的には、塵埃シュータ２５及び集塵容器２６は、有機系防カビ剤のイソチアゾリンと無機系防カビ剤の層状ケイ酸塩とを成分とした有機無機複合系防カビ剤をＡＢＳ樹脂に練り込んで製作したものである。
【００３５】
次に、図６参照しながら、有機無機複合系防カビ剤の有機成分の浸透性について説明する。図６は防カビ試験方法（ハロー法）の説明図である。（社）全国家庭電化製品公正取引協議会に定める防カビ試験方法（ハロー法）は、シャーレ２７上にカビ菌を噴霧し、その中に有機無機複合系雑菌除去剤を練り込んで混入した試験片３０を置き、温度２５±１℃、７日間培養した後の防カビ効果を確認する方法である。この防カビ試験方法において、防カビ成分が溶出しない部分にはカビ発生帯２９でシャーレ２７が覆われるが、防カビ成分が溶出し揮発性を有する場合、試験片３０の周囲にはカビが発生しないカビ発生阻止帯２８が出現する。このカビ発生抑止帯２８の幅距離の分（図６中の矢印分）、防カビ剤が塵埃の内部に浸透して防カビ効果を発揮することができることになる。
【００３６】
ここで、有機系防カビ剤のイソチアゾリンと無機系防カビ剤の層状ケイ酸塩とを成分とした有機無機複合系防カビ剤をＡＢＳ樹脂に練り込んで製作した試験片３０の濃度を変えて防カビハロー試験をした。その結果、ＡＢＳ樹脂に有機無機複合系防カビ剤を０．５ｗｔ％添加した場合に幅６ｍｍのカビ発生抑止帯が出現し、有機無機複合系防カビ剤を１％ｗｔ％添加した場合に幅１１ｍｍのカビ発生抑止帯が出現し、有機無機複合系防カビ剤を２ｗｔ％添加した場合に幅２０ｍｍのカビ発生抑止帯が出現し、有機無機複合系防カビ剤を５ｗｔ％添加した場合に幅２１ｍｍのカビ発生抑止帯が出現し、有機無機複合系防カビ剤を１０ｗｔ％添加した場合に幅２１ｍｍのカビ発生抑止帯２８が出現した。このことから、有機無機複合系防カビ剤の添加量を２ｗｔ％より増加させてもカビ発生抑止帯２８の幅は広がらないことが判った。この結果より、堆積した塵埃の内部に防カビ剤を浸透させ、カビ発生を抑制できる範囲は、塵埃シュータ２５、集塵容器２６の壁面から２０ｍｍ以内の範囲であり、壁面間の距離を４０ｍｍ以下とすることが望ましいことが判った。
【００３７】
そこで、本実施形態では、有機無機複合系防カビ剤をＡＢＳ樹脂に２ｗｔ％以上練り込んで塵埃シュータ２５及び集塵容器２６を製作すると共に、塵埃シュータ２５及び集塵容器２６のそれぞれにおける対向壁面間の距離を４０ｍｍ以下としている。
【００３８】
上述したように、本実施形態によれば、室内空気の通風路を形成する筐体４と、通風路４Ａに設置され室内空気を通風路４Ａを通して通風する室内ファン１０と、通風路４Ａに設置され通過する室内空気中の塵埃を捕集するエアフィルタ１１と、エアフィルタ１１から塵埃を集めて通風路４Ａの外側に着脱可能に配置された集塵容器２６に収納する清掃装置と、を備え、有機無機複合系防カビ剤を混入した樹脂で集塵容器２６を成形しているので、簡単な構成で且つ安価にでき、スペース性に優れ、集塵容器２６内に収納した塵埃に含まれるカビの繁殖を長期間にわたって安定して抑制できる空気調和機を提供できる。即ち、塵埃を衛生的に長期間貯めておくことができ、塵埃を捨てるときも不快感を感じることなく簡単に捨てることができ、わずらわしいエアフィルタ１１の清掃を頻繁に行うことなく、いつも清潔に空気調和機を保つことができ、空気調和機から噴き出す空気も常にきれいに保つことができる。
【００３９】
（第２実施形態）
次に、本発明の第２実施形態について図７を用いて説明する。図７は本発明の第２実施形態の空気調和機に用いる塵埃シュータ２５及び集塵容器２６の斜視図である。なお、この図７では、塵埃シュータ２５の一部（下部）を示してある。
【００４０】
この第２実施形態は、次に述べる点で第１実施形態と相違するものであり、その他の点については第１実施形態と基本的には同一であるので、重複する説明を省略する。
【００４１】
塵埃シュータ２５及び集塵容器２６は、容積を小さくするとすぐに塵埃が満杯になるため、頻繁に塵埃を捨てることになり、面倒となる。しかし、容積を大きくした場合、塵埃シュータ２５、集塵容器２６の壁面間距離が大きくなり、堆積した塵埃の内部に防カビ成分を浸透させることができなくなるおそれがある。このため、この第２実施形態では、有機無機複合系防カビ剤を練り込んだＡＢＳ樹脂からなる仕切り２５ａ、２６ａを塵埃シュータ２５及び集塵容器２６の壁面間の中間に設けている。これによって、塵埃の収納容積を増大しつつ、堆積した塵埃の内部に防カビ成分を確実に浸透させることができる。
【００４２】
具体的には、有機無機複合系防カビ剤をＡＢＳ樹脂に２ｗｔ％以上練り込んで塵埃シュータ２５及び集塵容器２６を製作すると共に、有機無機複合系防カビ剤を２ｗｔ％以上練り込んで製作したＡＢＳ樹脂からなる仕切り２５ａ、２６ａを塵埃シュータ２５及び集塵容器２６の壁面間の中間に設け、塵埃シュータ２５及び集塵容器２６のそれぞれの壁面と仕切り２５ａ、２６ａの壁面との距離を４０ｍｍ以下としている。これによって、堆積した塵埃の内部に防カビ成分をより一層確実に浸透させることができる。
【図面の簡単な説明】
【００４３】
【図１】本発明の第１実施形態の空気調和機の全体構成を示す斜視図である。
【図２】図１の室内機を正面から縦に断面した図である。
【図３】図２の室内機の斜視図である。
【図４】図３の清掃装置の塵埃捕集部の拡大図である。
【図５】図４の塵埃捕集部の塵埃シュータの斜視図である。
【図６】防カビ試験方法（ハロー法）の説明図である。
【図７】本発明の第２実施形態の空気調和機に用いる塵埃シュータ及び集塵容器の斜視図である。
【符号の説明】
【００４４】
１…空気調和機、２…室内機、３…室外機、４…筐体、４ａ…筐体ベース、４ｂ…化粧枠、４ｃ…前面パネル、４Ａ…中央空間（通風路）、５…リモコン、６…開閉パネル、７…空気吹出し口、８…空気吸込み口、９…接続配管、１０…室内ファン、１１ａ、１１ｂ…エアフィルタ、１２…室内熱交換器、１３…露受皿、１４…上下風向板、１５…左右風向板、２０…清掃装置、２２…可動式ブラシ、２２ａ、２２ｂ…刷毛、２３…塵埃捕集部、２４、２４ａ、２４ｂ…塵埃捕集機構、２５…塵埃シュータ、２５ａ…仕切り、２６…集塵容器、２６ａ…仕切り、２７…シャーレ、２８…カビ発生阻止帯、２９…カビ発生帯、３０…試験片、５３…白抜き矢印。
【図１】
2010101513.tif 000003
【図２】
2010101513.tif 000004
【図３】
2010101513.tif 000005
【図４】
2010101513.tif 000006
【図５】
2010101513.tif 000007
【図６】
2010101513.tif 000008
【図７】
2010101513.tif 000009